(57)【要約】【課題】  本発明は、木造風住宅において室内側開口の木製窓枠に気密モヘアを設け、また木障子体框に気密パッキン材を配置し、前記気密モヘアと前記気密パッキンによって完全に外気の侵入を防止する引き戸構造の内窓用木製サッシを提供しようとするものである。【解決手段】  本発明の内窓用木製サッシは、矩形開口状の木製引き戸枠と該引き戸枠内に嵌め込まれる矩形状の前方木障子体及び後方木障子体との組み合せ構造からなり、気密パッキン、気密モヘアにより密封構造を形成してなるものにおいて、前記引き戸枠Ａの上枠１下面の長手方向に２列平行に刻設した引き戸溝５の間の中央凸部８であって、前方木障子体Ｂと後方木障子体Ｃとの召し合わせ框９の重なり部１０となる上枠１の中央位置には外気の流通を塞ぐ所定幅の気密モヘア１１が固着されて、前記前方木障子体Ｂの上框６と前記上枠１下面の気密モヘア１１とが面接触して気密構造を形成する。【選択図】  図２
2005200999.tif 000002
【特許請求の範囲】
【請求項１】
矩形開口状の木製引き戸枠と該引き戸枠内に嵌め込まれる矩形状の前方木障子体及び後方木障子体との組み合せ構造からなり、前記前方木障子体並び後方木障子体の上框及び下框の長手方向に沿って、ゴム等の弾性部材からなる断面Ｖ字状の長尺部材からなる気密パッキンが設けられ、前記前方木障子体及び後方木障子体の縦框の前記引き戸枠の側枠に接触する側面には縦方向に沿って所定幅の嵌合凹部が設けられ、前記側枠に形成された嵌合凸部と嵌合するようになっており、さらに前記前方木障子体の召し合わせ框の重なり部側には、縦方向全体に亘って細幅帯状の植毛された気密モヘアが固着されて前記前方木障子体と後方木障子体との召し合わせ框の重なり部に密封構造を形成してなる内窓用木製サッシにおいて、前記引き戸枠の上枠下面の長手方向に２列平行に刻設した引き戸溝の間の中央凸部であって、前方木障子体と後方木障子体との召し合わせ框の重なり部となる前記引き戸枠の上枠の中央位置には外気の流通を塞ぐ所定幅の気密モヘアが固着されて、前記上枠下面の気密モヘアが前記前方木障子体の上框に面接触して気密構造を形成してなることを特徴とする内窓用木製サッシ。
【発明の詳細な説明】
【技術分野】
【０００１】
本発明は、木造風住宅において室内側開口の木製窓に取り付けられる引き戸、例えば木障子として利用される内窓用木製サッシに関する。
【背景技術】
【０００２】
従来の室内側開口の木製窓としての木障子は、外気の侵入を防止する構造を有しておらず、気密効果がなく、また厳寒な地方の住宅にあっては隙間から寒気が進入して暖房に無駄があった。
また、結露・防音対策の機能を併せ持つものはなく、消費者のニーズにも応えていなかった。
これを解決した先行技術として、木障子体の框（かまち）に隙間を塞ぐ気密材（パッキン材）を備え、該気密材により気密効果を増したものが知られている（特許文献１を参照）。
しかし、気密材（パッキン材）を木障子体の框に設けた構造だけでは完全に外気の侵入を防止することが出来なかったので、これを改善することが望まれていた。
【０００３】
【特許文献１】実開昭５８−１２６３９２号公報
【発明の開示】
【発明が解決しようとする課題】
【０００４】
本発明は、木造風住宅において室内側開口の木製窓枠に気密モヘアを設け、また木障子体框に気密パッキン材を配置し、前記気密モヘアと前記気密パッキンによって完全に外気の侵入を防止する引き戸構造の内窓用木製サッシを提供しようとするものである。
【課題を解決するための手段】
【０００５】
上記課題を解決するために、本発明の内窓用木製サッシは、矩形開口状の木製引き戸枠と該引き戸枠内に嵌め込まれる矩形状の前方木障子体及び後方木障子体との組み合せ構造からなり、前記前方木障子体並び後方木障子体の上框及び下框の長手方向に沿って、ゴム等の弾性部材からなる断面Ｖ字状の長尺部材からなる気密パッキンが設けられ、前記前方木障子体及び後方木障子体の縦框の前記引き戸枠の側枠に接触する側面には縦方向に沿って所定幅の嵌合凹部が設けられ、前記側枠に形成された嵌合凸部と嵌合するようになっており、さらに前記前方木障子体の召し合わせ框の重なり部側には、縦方向全体に亘って細幅帯状の植毛された気密モヘアが固着されて前記前方木障子体と後方木障子体との召し合わせ框の重なり部に密封構造を形成してなるものにおいて、前記引き戸枠の上枠下面の長手方向に２列平行に刻設した引き戸溝の間の中央凸部であって、前方木障子体と後方木障子体との召し合わせ框の重なり部となる前記引き戸枠の上枠の中央位置には外気の流通を塞ぐ所定幅の気密モヘアが固着されて、前記上枠下面の気密モヘアが前記前方木障子体の上框に面接触して気密構造を形成してなるものである。
【発明の効果】
【０００６】
本発明の内窓用木製サッシによれば、木造風住宅において室内側開口の木製窓枠に気密モヘアと木障子体框に気密パッキン材を配置し、前記気密モヘアと前記気密パッキンによって完全に外気の侵入を防止するので、厳寒な地方の住宅にあっては隙間から寒気が進入して来ることがなく、効果的に暖房を行うことができる。
【発明を実施するための最良の形態】
【０００７】
以下に、本発明の内窓用木製サッシの一実施例を図面に基づいて説明する。
本発明の内窓用木製サッシは、図１に示すように、矩形開口状の木製引き戸枠Ａと該引き戸枠Ａ内に嵌め込まれる矩形状の前方木障子体Ｂ及び後方木障子体Ｃとの組み合せ構造からなる。
前記引き戸枠Ａは、鴨居となる上枠１、敷居となる下枠２、戸当りとなる左右側枠３，４により開口状の横置き長方形をなして木製窓枠を形成しており、前記引き戸枠Ａの上枠１下面及び下枠２上面に長手方向に２列平行に刻設した引き戸溝５が形成される。
一方、前記前方木障子体Ｂ及び後方木障子体Ｃは、図４に示すように、前記引き戸枠Ａ内に嵌め込まれ、前記引き戸枠Ａの上枠１下面及び下枠２上面の長手方向に２列平行に刻設した引き戸溝５に、前記前方木障子体Ｂ並び後方木障子体Ｃの上框６及び下框７が前後方向で互いに嵌合されて左右交互に前記引き戸溝５に沿って摺動開閉することができる構造となっている。
【０００８】
図２の図１Ａ−Ａ矢視拡大断面図に示すように、前記引き戸枠Ａの上枠１下面の長手方向に２列平行に刻設した引き戸溝５の間の中央凸部８であって、前方木障子体Ｂと後方木障子体Ｃとの召し合わせ框９の重なり部１０となる上枠１の中央位置には外気の流通を塞ぐ所定幅の気密モヘア１１が固着されて、前記前方木障子体Ｂの上框６と前記上枠１下面の気密モヘア１１とが面接触して気密構造を形成する。
なお、前記気密モヘア１１は、アンゴラヤギの毛を密集して植毛した気密部材であって自立可能な弾性を有している。
また、前記前方木障子体Ｂ並び後方木障子体Ｃの上框６及び下框７の長手方向に沿って、ゴム等の弾性部材からなる断面Ｖ字状の長尺部材からなる気密パッキン１２が設けられる。
前記引き戸枠Ａの上枠１下面及び下枠２上面に形成された前記引き戸溝５に前記前方木障子体Ｂ並び後方木障子体Ｃの上框６及び下框７が嵌め込まれ、前記前方木障子体Ｂ及び後方木障子体Ｃの上框６に設けた気密パッキン１２を上枠１の引き戸溝５の溝面に線接触させ、前記前方木障子体Ｂ及び後方木障子体Ｃの下框７に設けた気密パッキン１２を下枠２の凸部の上面に線接触させる。
また、図３の図１Ｂ−Ｂ矢視拡大断面図に示すように、前記前方木障子体Ｂの召し合わせ框９の重なり部１０側には、縦方向全体に亘って細幅帯状の植毛された気密モヘア１１が固着されており、前記前方木障子体Ｂと後方木障子体Ｃとの召し合わせ框９の重なり部１０に密封構造を形成している。
【０００９】
さらに、図５の図４Ｃ−Ｃ矢視拡大断面図に示すように、前記前方木障子体Ｂの縦框１３の右側枠３に接触する側面には縦方向に沿って所定幅の嵌合凹部１４が設けられ、後述する右側枠３に形成された嵌合凸部１５と嵌合するようになっている。
なお、嵌合凹部１４の上部及び下部の溝内には、上框６、下框７、縦框１３を組み立てる組立ネジ１６がそれぞれ２個設けられる。
また、前記後方木障子体Ｃの召し合わせ框９の上部及び下部には、上框６、下框７、縦框１３を組み立てる組立ネジ１６がそれぞれ２個設けられ、前記組立ネジ１６の頭にはカバーキャップ１７がそれぞれ被せられる。
図示していないが同様に、前記後方木障子体Ｃの縦框１３の左側枠４に接触する側面には縦方向に沿って所定幅の嵌合凹部１４が設けられ、左側枠４に形成された嵌合凸部１５と嵌合するようになっているし、また前記前方木障子体Ｂの召し合わせ框９の上部及び下部には、上框６、下框７、縦框１３を組み立てる組立ネジ１６がそれぞれ２個設けられ、前記組立ネジ１６の頭にはカバーキャップ１７がそれぞれ被せられる。
図６の図４Ｄ−Ｄ矢視拡大断面図に示すように、引き戸溝５端から右側枠３の上方に垂直に突出する嵌合凸部１５を形成して、前記前方木障子体Ｂの縦框１３の嵌合凹部１４と嵌合するように形成する。
図示していないが同様に、引き戸溝５端から左側枠４の上方に垂直に突出する嵌合凸部１５を形成して、前記後方木障子体Ｃの縦框１３の嵌合凹部１４と嵌合するように形成する。
また、前記縦框１３の正面側には、中央の縦方向に沿って手掛け溝１８を形成して、前記前方木障子体Ｂと後方木障子体Ｃとを開閉する際の引き取手の役割を持たせる。
【００１０】
次に、本発明の内窓用木製サッシの使用状態について図面に基づいて以下に説明する。
前方木障子体Ｂと後方木障子体Ｃには、例えば縦框１３の嵌合凹部１４に設けた組立ネジ１６を緩めて縦框１３を外し、窓ガラスＷを嵌め込み、再び縦框１３を組立ネジ１６で固定して、見通しの良い窓ガラス木障子とする。
図４に示すように、引き戸枠Ａの上枠１下面及び下枠２上面に形成された前記引き戸溝５に前記前方木障子体Ｂ並び後方木障子体Ｃの上框６及び下框７が嵌め込まれ、前記前方木障子体Ｂ及び後方木障子体Ｃの上框６に設けた気密パッキン１２を上枠１の引き戸溝５の溝面に線接触させ、前記前方木障子体Ｂ及び後方木障子体Ｃの下框７に設けた気密パッキン１２を下枠２の凸部１９の上面に線接触させる。
従って、上枠１と上框６との隙間および下枠２と下框７との隙間は、前記気密パッキン１２により塞がれ、それら隙間から寒気が入り込むことはない。
また、図１に示すように前記前方木障子体Ｂと後方木障子体Ｃを閉めると、図３に示すように前方木障子体Ｂの召し合わせ框９に設けた気密モヘア１１により、前記前方木障子体Ｂ及び後方木障子体Ｃの召し合わせ框９間の隙間が塞がれ、その隙間から寒気が入り込むことはない。
更に、前記引き戸枠Ａの上枠１下面の長手方向に２列平行に刻設した引き戸溝５の間の中央凸部８であって、前方木障子体Ｂと後方木障子体Ｃとの召し合わせ框９の重なり部１０となる上枠１の中央位置には所定幅の気密モヘア１１が固着されているので、前記前方木障子体Ｂの上框６と前記上枠１下面の気密モヘア１１とが面接触して寒気の流通を塞ぐ気密構造を形成する。
また、前記前方木障子体Ｂ及び後方木障子体Ｃの縦框１３の左右側枠３，４に接触する側面には縦方向に沿って所定幅の嵌合凹部１４が設けられ、左右側枠３，４に形成された嵌合凸部１５と嵌合するようになっているので、隙間が形成されることがなく、寒気の流通を塞ぐ気密構造を形成する。
【図面の簡単な説明】
【００１１】
【図１】本発明に係る内窓用木製サッシの木障子体を閉めた状態の正面図である。
【図２】図１Ａ−Ａ矢視拡大断面図である。
【図３】図１Ｂ−Ｂ矢視拡大断面図である。
【図４】本発明に係る内窓用木製サッシの木障子体を開けた状態の正面図である。
【図５】図４Ｃ−Ｃ矢視拡大断面図である。
【図６】図４Ｄ−Ｄ矢視拡大断面図である。
【符号の説明】
【００１２】
Ａ  引き戸枠
Ｂ  前方木障子体
Ｃ  後方木障子体
Ｗ  窓ガラス
１  上枠
２  下枠
３  右側枠
４  左側枠
５  引き戸溝
６  上框
７  下框
８  中央凸部
９  召し合わせ框
１０  重なり部
１１  気密モヘア
１２  気密パッキン
１３  縦框
１４  嵌合凹部
１５  嵌合凸部
１６  組立ネジ
１７  カバーキャップ
１８  手掛け溝
１９  凸部
【図１】
2005200999.tif 000003
【図２】
2005200999.tif 000004
【図３】
2005200999.tif 000005
【図４】
2005200999.tif 000006
【図５】
2005200999.tif 000007
【図６】
2005200999.tif 000008